(57)【特許請求の範囲】
【請求項１】
所内側伝送装置ＯＬＴ（Optical Line Terminal）と複数のユーザ側伝送装置ＯＮＵ（Optical Network Unit）とを光線路群により接続する光線路網に用いられ、前記光線路群のうち対象光線路の途中にモニタ点を設けて当該モニタ点で伝送する光信号の一部を抽出し、抽出された光信号を解析して前記対象光線路の心線を判定する情報を取得する光線路心線判定装置であって、
前記対象光線路について、前記モニタ点で抽出される、モニタ点を同時に通過するＯＬＴからＯＮＵへ伝送される光信号及びＯＮＵからＯＬＴへ伝送される光信号それぞれの信号フレームを記録する記録手段と、
前記記録手段に記録されたＯＬＴとＯＮＵとの間で伝送される光信号それぞれの信号フレームを解析して、そのフレーム情報に含まれるＯＮＵまたはＯＬＴの装置時間および装置情報を抽出すると共に、当該抽出された装置時間をもとに前記モニタ点とＯＮＵとの距離情報を算出し、この算出された距離情報と前記抽出された装置情報により表されるＯＮＵ固有識別情報を光線路遠端のＯＮＵ情報として取得する線路情報抽出手段と、
前記モニタ点から前記対象光線路の遠端までの光線路長を計測する光線路長計測手段と、
前記線路情報抽出手段によって得られた前記モニタ点とＯＮＵとの間の距離情報と前記光線路長計測手段で得られた光線路長とを比較し、その比較結果と前記線路情報抽出手段により取得されたＯＮＵ固有識別情報とを用いて、前記対象光線路における反射点と前記対象光線路の遠端のＯＮＵ情報とを照合する解析手段と
を具備することを特徴とする光線路心線判定装置。
【請求項２】
前記解析手段は、前記光線路に可逆性の損失を与えて、損失を付与する前後に生じる前記光線路長計測データの変化と、計測線路長と照合一致したＯＮＵ情報とから前記光線路の心線情報を取得することを特徴とする請求項１記載の光線路心線判定装置。
【請求項３】
前記記録手段は、前記モニタ点で前記ＯＬＴとＯＮＵとの間で伝送される下りと上りの光信号が同時に通過する時点の信号フレームを記録し、
前記線路情報抽出手段は、前記信号フレームのフレーム情報に含まれるＯＮＵまたはＯＬＴの装置時間および装置情報を取得し解析することを特徴とする請求項１記載の光線路心線判定装置。
【請求項４】
前記記録手段は、前記モニタ点で前記ＯＬＴとＯＮＵとの間で伝送される下りと上りの光信号それぞれの複数の信号フレームを記録し、
前記線路情報抽出手段は、前記モニタ点を同時に通過すると仮定した場合に前記信号フレームのフレーム情報に含まれるＯＮＵまたはＯＬＴの装置時間および装置情報を算出し解析することを特徴とする請求項１記載の光線路心線判定装置。
【請求項５】
所内側伝送装置ＯＬＴ（Optical Line Terminal）と複数のユーザ側伝送装置ＯＮＵ(Optical Network Unit)とを光線路群により接続する光線路網に用いられ、前記光線路群のうち対象光線路の途中にモニタ点を設けて当該モニタ点で伝送する光信号の一部を抽出し、抽出された光信号を解析して前記対象光線路の心線を判定する情報を取得する光線路心線判定方法であって、
前記対象光線路について、前記モニタ点で抽出される、モニタ点を同時に通過するＯＬＴからＯＮＵへ伝送される光信号及びＯＮＵからＯＬＴへ伝送される光信号それぞれの信号フレームを記録し、
前記記録されたＯＬＴとＯＮＵとの間で伝送される光信号それぞれの信号フレームを解析して、そのフレーム情報に含まれるＯＮＵまたはＯＬＴの装置時間および装置情報を抽出すると共に、当該抽出された装置時間をもとに前記モニタ点とＯＮＵとの距離情報を算出し、この算出された距離情報と前記抽出された装置情報により表されるＯＮＵ固有識別情報を光線路遠端のＯＮＵ情報として取得し、
前記モニタ点から前記対象光線路の遠端までの光線路長を計測し、
前記線路情報抽出によって得られた前記モニタ点とＯＮＵとの間の距離情報と前記光線路長計測で得られた光線路長とを比較し、その比較結果と前記取得されたＯＮＵ固有識別情報とを用いて、前記対象光線路における反射点と前記対象光線路の遠端のＯＮＵ情報とを照合する解析を行うことを特徴とする光線路心線判定方法。
【請求項６】
前記解析は、前記光線路に可逆性の損失を与えて、損失を付与する前後に生じる前記光線路長計測データの変化と、計測線路長と照合一致したＯＮＵ情報とから前記光線路の心線情報を取得することを特徴とする請求項５記載の光線路心線判定方法。
【請求項７】
前記記録は、前記モニタ点で前記ＯＬＴとＯＮＵとの間で伝送される下りと上りの光信号が同時に通過する時点の信号フレームを記録し、
前記線路情報抽出は、前記信号フレームのフレーム情報に含まれるＯＮＵまたはＯＬＴの装置時間および装置情報を取得し解析することを特徴とする請求項５記載の光線路心線判定方法。
【請求項８】
前記記録は、前記モニタ点で前記ＯＬＴとＯＮＵとの間で伝送される下りと上りの光信号それぞれの複数の信号フレームを記録し、
前記線路情報抽出は、前記モニタ点を同時に通過すると仮定した場合に前記信号フレームのフレーム情報に含まれるＯＮＵまたはＯＬＴの装置時間および装置情報を算出し解析することを特徴とする請求項５記載の光線路心線判定方法。
【発明の詳細な説明】
【技術分野】
【０００１】
本発明は、光ファイバによる光線路で構築された光通信ネットワーク（光線路網）に係り、特に分岐方光線路網の光線路心線の中から対象とする心線を特定する光線路心線判定装置及び心線判定方法に関する。
【背景技術】
【０００２】
近年のインターネット利用者の拡大とＴＶ電話や映像配信といったブロードバンドアプリケーションの普及により、アクセスネットワークにも光線路を用いた通信ネットワークが利用されている。このような光線路によるネットワーク（以下、光線路網と記す）では、経済的な構築をするために、伝送光信号を光線路網の途中で光スプリッタによって分岐し、通信事業者ビルに設置される１台の所内側伝送装置ＯＬＴ（Optical Line Terminal）に対して複数のユーザ側伝送装置ＯＮＵ(Optical Network Unit)を接続する分岐型（ＰＯＮ：Passive Optical Network）の光線路網が広く用いられている。
【０００３】
ところで、分岐型光線路網についてルート変更が必要となった場合には、屋外のマンホール等の光線路の接続点において、光線路の切替工事を行うことになる。一般に、光線路の接続点には、光線路心線に設備情報を記載した識別タグ等が取り付けられている。しかしながら、識別タグの取り付け誤り等がある場合を想定し、屋外切替点での作業者は、通信事業者ビルの作業員と連絡を取りつつ、対象心線の確認を行いながら心線の特定（判定）を行う。
【０００４】
この確認手順は、（１）屋外作業者が対象と思われる光線路心線に曲げ損失を付与し、（２）通信事業者ビルの作業者がその光線路損失の発生をモニタし、（３）損失発生が確認された光線路心線が切替対象とする光線路の線路長と一致しているか否かを調べ、（４）一致している場合に正しい対象の光線路心線であると判断し、屋外作業者に正しい対象心線である旨の連絡を行う。
【先行技術文献】
【特許文献】
【０００５】
【特許文献１】特開昭５７−０２６８０７号公報
【非特許文献】
【０００６】
【非特許文献１】“拡大する光アクセス網を支える光媒体網運用技術”、NTT技術ジャーナル2006.12、P58-61
【発明の概要】
【発明が解決しようとする課題】
【０００７】
しかしながら、近年の多心化された光ファイバケーブルの接続点においては、高密度の光線路心線を扱う作業環境となっており、その環境下で光線路心線に識別タグを取り付ける作業において、誤った心線に識別タグを取付けてしまう恐れがあった。一旦、誤った光線路心線に識別タグが取り付けられると、作業現場となる接続点のみの情報からでは、正しい光線路心線であるか否かを確認することができない。
【０００８】
また、光線路心線を識別する情報の一つにその線路長があり、線路長の確認には光パルス試験が一般的に用いられる。この光パルス試験では、光線路にパルス光を入射し、散乱光や反射光の戻る時間とパワーを計測することで、光線路長手方向の損失位置や光線路遠端を検出する。しかし、光パルス試験により得られた波形より読み取られる光線路心線の遠端位置が、本来あるべき長さであるかどうかを確認するためには、予めストレージされた設備データと比較する必要がある。
【０００９】
しかしながら、光線路の新設時には光線路心線の接続部において任意長の収納余長を設けなければならない。このため、設備データを構築するにあたっては、正確な光線路長を求めるのは困難であり、且つ、精度の良い光線路長のデータベースを構築・運用していくには、加入者の増減に併せて、絶え間なくデータ更新作業を行うなど、非常に大きな運用コストがかかる。また、データの投入の際にはデータの投入誤りなどのヒューマンエラーが発生する。
【００１０】
また、一般的に、光パルス試験によって散乱光や反射光を計測する際に、光線路中に発生する反射が大きい場合、反射点間を往復する多重反射が発生し、実際に存在する光線路より長い距離に反射が発生して誤測定を行う場合がある。
ここで、ＯＬＴ及びＯＮＵ間の詳細な距離情報を取得する手段としては、新たにＯＮＵをネットワークへ追加接続するタイミングで発生するレジスタ（Register）フレームを利用し、ディスカバリ・ゲート（Discovery Gate）との時間差分から装置間の信号往復時間、すなわち距離情報を類推する方法が考えられる。しかしながら、RegisterフレームはＯＮＵを新たに接続した場合にのみＯＬＴへ送信されるため、Resisterフレームを観測するためには装置の再接続があり、ユーザに対して通信状態を中断させることになる。また、Resister信号の計測をフレームの受信ビットエラー等によって一部の信号を欠損した場合に計測に失敗するという問題があった。
【００１１】
本発明は、上記の事情に着目してなされたもので、作業対象の光線路心線に接続されているＯＮＵのＯＮＵ情報及び光線路長情報を同時に確認することができ、これによって作業対象の光線路心線の特定（判定）精度を高めることが可能な光線路心線判定装置およびその判定方法を提供することを目的とする。
【課題を解決するための手段】
【００１２】
上記の課題を解決するため、本発明に係る光線路心線判定装置は、以下の態様で構成される。
（１）所内側伝送装置ＯＬＴ（Optical Line Terminal）と複数のユーザ側伝送装置ＯＮＵ(Optical Network Unit)とを光線路群により接続する光線路網に用いられ、前記光線路群のうち対象光線路の途中にモニタ点を設けて当該モニタ点で伝送する光信号の一部を抽出し、抽出された光信号を解析して前記対象光線路の心線を判定する情報を取得する光線路心線判定装置であって、前記対象光線路について、前記モニタ点で抽出される、モニタ点を同時に通過するＯＬＴからＯＮＵへ伝送される光信号及びＯＮＵからＯＬＴへ伝送される光信号それぞれの信号フレームを記録する記録手段と、前記記録手段に記録されたＯＬＴとＯＮＵとの間で伝送される光信号それぞれの信号フレームを解析して、そのフレーム情報に含まれるＯＮＵまたはＯＬＴの装置時間および装置情報を抽出すると共に、当該抽出された装置時間をもとに前記モニタ点とＯＮＵとの距離情報を算出し、この算出された距離情報と前記抽出された装置情報により表されるＯＮＵ固有識別情報を光線路遠端のＯＮＵ情報として取得する線路情報抽出手段と、前記モニタ点から前記対象光線路の遠端までの光線路長を計測する光線路長計測手段と、前記線路情報抽出手段によって得られた前記モニタ点とＯＮＵとの間の距離情報と前記光線路長計測手段で得られた光線路長とを比較し、その比較結果と前記線路情報抽出手段により取得されたＯＮＵ固有識別情報とを用いて、前記対象光線路における反射点と前記対象光線路の遠端のＯＮＵ情報とを照合する解析手段とを具備する態様とする。
【００１３】
（２）（１）の構成において、前記解析手段は、前記光線路に可逆性の損失を与えて、損失を付与する前後に生じる前記光線路長計測データの変化と、計測線路長と照合一致したＯＮＵ情報とから前記光線路の心線情報を取得する態様とする。
（３）（１）の構成において、前記記録手段は、前記モニタ点で前記ＯＬＴとＯＮＵとの間で伝送される下りと上りの光信号が同時に通過する時点の信号フレームを記録し、前記線路情報抽出手段は、前記信号フレームのフレーム情報に含まれるＯＮＵまたはＯＬＴの装置時間および装置情報を取得し解析する態様とする。
【００１４】
（４）（１）の構成において、前記記録手段は、前記モニタ点で前記ＯＬＴとＯＮＵとの間で伝送される下りと上りの光信号それぞれの複数の信号フレームを記録し、前記線路情報抽出手段は、前記モニタ点を同時に通過すると仮定した場合に前記信号フレームのフレーム情報に含まれるＯＮＵまたはＯＬＴの装置時間および装置情報を算出し解析する態様とする。
【００１５】
また、本発明に係る光線路心線判定方法は、以下の態様で構成される。
（５）所内側伝送装置ＯＬＴ（Optical Line Terminal）と複数のユーザ側伝送装置ＯＮＵ(Optical Network Unit)とを光線路群により接続する光線路網に用いられ、前記光線路群のうち対象光線路の途中にモニタ点を設けて当該モニタ点で伝送する光信号の一部を抽出し、抽出された光信号を解析して前記対象光線路の心線を判定する情報を取得する光線路心線判定方法であって、前記対象光線路について、前記モニタ点で抽出される、モニタ点を同時に通過するＯＬＴからＯＮＵへ伝送される光信号及びＯＮＵからＯＬＴへ伝送される光信号それぞれの信号フレームを記録し、前記記録されたＯＬＴとＯＮＵとの間で伝送される光信号それぞれの信号フレームを解析して、そのフレーム情報に含まれるＯＮＵまたはＯＬＴの装置時間および装置情報を抽出すると共に、当該抽出された装置時間をもとに前記モニタ点とＯＮＵとの距離情報を算出し、この算出された距離情報と前記抽出された装置情報により表されるＯＮＵ固有識別情報を光線路遠端のＯＮＵ情報として取得し、前記モニタ点から前記対象光線路の遠端までの光線路長を計測し、前記線路情報抽出によって得られた前記モニタ点とＯＮＵとの間の距離情報と前記光線路長計測で得られた光線路長とを比較し、その比較結果と前記取得されたＯＮＵ固有識別情報とを用いて、前記対象光線路における反射点と前記対象光線路の遠端のＯＮＵ情報とを照合する解析を行う態様とする。
【００１６】
（６）（５）の構成において、前記解析は、前記光線路に可逆性の損失を与えて、損失を付与する前後に生じる前記光線路長計測データの変化と、計測線路長と照合一致したＯＮＵ情報とから前記光線路の心線情報を取得する態様とする。
（７）（５）の構成において、前記記録は、前記モニタ点で前記ＯＬＴとＯＮＵとの間で伝送される下りと上りの光信号が同時に通過する時点の信号フレームを記録し、前記線路情報抽出は、前記信号フレームのフレーム情報に含まれるＯＮＵまたはＯＬＴの装置時間および装置情報を取得し解析する態様とする。
【００１７】
（８）（５）の構成において、前記記録は、前記モニタ点で前記ＯＬＴとＯＮＵとの間で伝送される下りと上りの光信号それぞれの複数の信号フレームを記録し、
前記線路情報抽出は、前記モニタ点を同時に通過すると仮定した場合に前記信号フレームのフレーム情報に含まれるＯＮＵまたはＯＬＴの装置時間および装置情報を算出し解析する態様とする。
【発明の効果】
【００１８】
上記構成によれば、従来の損失発生のモニタにより行っていた心線判定に比べ、該当光線路心線に接続されているＯＮＵのＯＮＵ情報や光線路長情報も同時に確認することが可能となり、作業対象の光線路心線の特定（判定）精度を高めることが可能な光線路心線判定装置およびその判定方法を提供することができる。
【図面の簡単な説明】
【００１９】
【図１】本発明の第１の実施形態に係る心線判定装置が用いられる通信システムの構成を示すブロック図である。
【図２】図１に示す心線判定装置の具体的な構成を示すブロック図である。
【図３】図２に示す心線判定装置において光スイッチを切り替えた状態での構成を示すブロック図である。
【図４】図２に示す心線判定装置が計測する信号とタイミングとの関係を示す図である。
【図５】図２に示す心線判定装置の取得データの例を示す図である。
【図６】図２に示す心線判定装置が取得した計測データと装置情報表示例を示す図である。
【図７】図２に示す心線判定装置が計測する信号とタイミングとの関係を示す図である。
【図８】図２に示す心線判定装置において、上り信号のモニタ点通過時間とカウンタ値との関係を示す図である。
【発明を実施するための形態】
【００２０】
添付の図面を参照して本発明の実施の形態を説明する。以下に説明する実施の形態は本発明の構成の例であり、本発明は、以下の実施の形態に制限されるものではない。
（第１の実施形態）
図１は本発明の第１の実施形態に係る心線判定装置が用いられる通信システムの構成を示すブロック図である。
【００２１】
図１において、通信事業者ビルに設置された複数のＯＬＴ１１とユーザ宅に設置された複数のＯＮＵ（図では＃１〜＃８）１７は、詳細は図示しないが、光線路、光線路を分岐する１台または複数の光スプリッタ、および光線路を接続するコネクタまたは融着などによる接続部とから構成される。図１に、通信事業者ビル内に所内光スプリッタ１２を配置し、屋外に所外光スプリッタ１５を配置した例を示す。
【００２２】
ＯＬＴ１１から送信された光信号は所内光スプリッタ１２で等分岐され、所内光スプリッタ１２の下部に接続された各々の光線路に分配される。ＯＬＴ１１とＯＮＵ１７とを接続する光線路の中途には、ＯＬＴ１１とＯＮＵ１７との間で伝送する光信号を僅かに漏洩させる光カプラ（１）１３を予め設置し、モニタ点とする。光カプラ（１）１３とＯＬＴ１１またはＯＮＵ１７へつながるポートを通信ポートＰ１，Ｐ２と呼び、心線判定装置１４を接続するポートを試験ポートＰ３，Ｐ４と呼ぶ。光カプラ（１）１３の試験ポートＰ３，Ｐ４には心線判定装置１４が接続される。
【００２３】
図２は上記心線判定装置１４の具体的な構成を示すブロック図である。図２において、心線判定装置１４は、光モニタ点からＯＬＴ１１とＯＮＵ１７との間の信号光を受光または光モニタ点へ試験光を送出する光入出力ポート１４０を備える。この光入出力ポート１４０には、光スイッチ１４１により、線路情報抽出部１４２と光線路長計測部１４３とが選択的に接続される。線路情報抽出部１４２は光線路を伝送する通信光を入力ポートを通じて受信し、伝送フレームに含まれている装置情報や装置カウンタ（counter）値を抽出する。光線路長計測部１４３は試験光を入出力する光ポート１４３０を備え、図３に示すように光スイッチ１４１によって光カプラ（１）１３の試験ポートＰ３，Ｐ４に接続し、光線路の光パルス応答を計測する。
【００２４】
まず、線路情報抽出部１４２によってモニタ点とＯＮＵ１７との間の距離情報を伝送システムから取得する方法について説明する。光線路中を伝送するＯＬＴ１１又はＯＮＵ１７からの光信号を入力した光カプラ（１）１３におけるモニタ点では、極一部の光パワーが漏洩する。この漏洩光は心線判定装置１４の光入出力ポート１４０から線路情報抽出部１４２に導かれ、漏洩光受信部１４２１で電気信号に変換され、信号解析部１４２２に送られる。信号解析部１４２２は、変換された信号を解析してモニタ点とＯＮＵ１７との間の距離情報並びに接続されているＯＮＵを識別するためのＯＮＵ固有識別情報を取得する。
【００２５】
上記距離情報並びにＯＮＵ固有識別情報を取得する方法を述べる。ＥＰＯＮ（Ethernet（登録商標）ＰＯＮ）においては、１台のＯＬＴ１１に対して複数のＯＮＵ１７を制御するＭＰＣＰ（Multi point control protocol）が用いられており、ＯＮＵ信号が光スプリッタ１５から先の光線路を共有するため、異なるＯＮＵ１７から送信された信号の衝突が起こらないように各ＯＮＵ１７が信号の送信タイミングを制御している。
【００２６】
上記送信タイミングの制御に必要なＯＬＴ１１とＯＮＵ１７との間の信号伝送遅延時間はDiscovery プロセスにおいて取得される。この信号伝送遅延時間の取得方法を、図４に示すタイムチャートを参照して説明する。
図４は心線判定装置１４が計測する信号とタイミングとの関係を示すタイムチャートであり、（ａ）はＯＬＴのカウンタ（Counter）のカウント値によるDiscovery Gateの出力タイミングを示し、（ｂ）はDiscovery Gateのモニタ点におけるAbs timeを示し、（ｃ）はＯＮＵ（＃１）のカウンタ（Counter)のカウント値を示している。図４に示すように、ＯＬＴは定期的にDiscovery Gateを発信する。新たに接続されたＯＮＵはＯＬＴから定期的に発信されたDiscovery Gate 1に含まれるＯＬＴカウンタ値tD0を自身のカウンタt'0にセットする。
【００２７】
Ｅ−ＰＯＮでは上りと下り信号ではそれぞれ別の波長を用いていることから、同時に上り信号と下り信号を伝送可能である。モニタ点を同時に通過する上り信号と下り信号において、上り信号がＯＮＵから送信された時間t'rと下り信号が到達した時間t'nとの間には、図４に示されるように、モニタ点とＯＮＵとの間の信号時間Ｔに対して、以下の関係が成り立つ。  
T=(t'n - t'r)/2
ここで、前述したように、ＯＮＵは、Discoveryプロセスにおいて、ＯＬＴにおけるカウンタ値を自身の持つカウンタにセットしていることから、t'n = tDnであり、モニタ点で上り信号及び下り信号が持つそれぞれの装置カウンタ値を抽出すれば、Ｔを求めることができる。ＯＬＴ装置カウンタ値を抽出可能な信号としては、例えばDiscovery Gate信号が用いられる。このDiscovery Gate信号は、新たなＯＮＵが追加された場合に、即時装置情報を得て接続状態とするために常に定期的に送信されている。またＯＮＵからＯＬＴへ送信される装置カウンタ値を含む信号としては、送信したいフレーム量をONUからOLTへ通知するReport massageがある。
【００２８】
図５に、モニタ点において取得した信号から得られるキャプチャタイミング“Abs Timestamp”と装置カウンタ“MPCP timestamp”の例を示す。図５において、（ａ）はＯＬＴからＯＮＵにストリームを伝送する場合、（ｂ）はＯＮＵからＯＬＴにストリームを伝送する場合を示している。
【００２９】
図５（ａ）に示すように、OLT→ONU stream のDiscovery Gateのフレームには、キャプチャタイミング“Abs Timestamp : 1645643.293337840”と、“MPCP timestamp = 3213025727”が得られた。ＯＮＵから送信されたReport massageのフレームからはＯＮＵ固有識別情報としてMAC address “xx:xx:xx:xx:01:01”と、キャプチャタイミング“Abs Timestamp : 1645643.293337840”と、“MPCP timestamp = 3213025073”が得られた。よって、“MPCP timestamp”の差 (tDn - t'r)は、数値654である。
【００３０】
Ｅ−ＰＯＮでは、装置カウンタ1bitあたりが16nsであるとしてIEEE Std 802.3ah標準化規格に定められており、モニタ点からＯＮＵまでの往復時間2Tは時間に換算して0.1010464[ms]であると得られる。光線路における距離Lは、L = T×c/n (c：光速、n：光ファイバ中の屈折率)で求められる。
【００３１】
次に、モニタ点において、モニタ点とＯＮＵとの間の距離を計測する方法について、光線路長計測部の装置構成例を、図３を用いて説明する。光線路長計測部１４３は、パルス光を発する光源１４３１、光信号を電気信号に変換する受光部１４３５、光源１４３１からの試験光を光線路に送信し、光線路から戻る信号を受光部１４３２に結合させる光カプラ（２）１４３５から構成される。
【００３２】
上記光線路長計測部１４３の光源１４３１から出射される光は、光スイッチ１４１、光カプラ（１）１３１の試験ポートＰ３を経て被測定線路に入射され、被測定線路においてレイリー散乱やフレネル反射を発生させ、光線路長での発生した地点と装置との距離に応じた経過時間の後、これらの発生した信号が戻り光として受光部１４３２で受光される。Ａ／Ｄ変換器１４３３では受光信号パワーを時分割してサンプリングし、制御装置１４３４にて受光パワーの時間変化の解析を行う。この応答光について、時間とパワー変化の関係を計測した波形データを示す図６を参照して説明する。
【００３３】
まず、光線路からの戻り光は微弱なレイリー散乱光が線路損失に応じて徐々に減衰し、また光スプリッタや光線路遠端においては大きなフレネル反射が発生するため、反射パワーが急激に増大する。ＰＯＮ光線路では光スプリッタで、パルス試験光は各分岐線路にパワー分配され、それぞれの分岐線路下部長に応じた地点に反射ピークを得る。
【００３４】
次に、光線路長計測部１４３によって得た波形データと、前述の線路情報抽出部１４２によって得たモニタ点とＯＮＵとの間の距離情報を用いて、光線路を構成する大量の光ファイバの中から作業すべき光ファイバ（以下、該当心線）の識別方法を以下に述べる。
【００３５】
光線路網のルート変更のための切替工事を行う現地作業者は、現地へ立入るに先立ち、該当心線に接続するユーザ情報としてＯＮＵのMAC address、例えば、“xx-xx-xx-xx-xx-01”を事前に把握しておく。
一方で、通信事業者ビル内の光モニタ点では、屋外の切替工事を行う現地作業が開始される前に、心線判定装置１４によって波形データ及びモニタ点とＯＮＵとの間の距離情報、ＯＮＵ固有識別情報（MAC address）を得て、データ格納部１４４１に格納する。
【００３６】
次に、現場作業者は、該当心線であると見当を付けた光ファイバに対して曲げ損失などの光学的変化を与える。パルス試験光には、例えば1650nm等の通信光帯域（1260〜1625nm）よりも長い波長を用い、ＯＮＵ直前には試験光のみを遮断する光フィルタ１６を設置する。光ファイバへの曲げによる損失は長波長のみに大きく発生するため、ＯＬＴとＯＮＵの通信状態に影響を与えることなく、波形データにおける反射強度変化とそれに該当する心線に接続されたＯＮＵのMAC addressを特定することが可能とある。
【００３７】
通信事業者ビル内にて心線判定装置１４を操作する作業者と、所外光スプリッタ１５の下部にいる現地作業者とは携帯電話等で進捗状況等について連絡をとりながら作業を進めることを想定する。
現地作業者が光ファイバに対して曲げを加えると光ファイバ心線の損失が増加し、通信事業者ビル内にて心線判定装置１４を操作する作業者は、心線判定装置の表示により図６の波形を観察する。観察の結果、事前に把握していたＯＮＵのMAC address“xx-xx-xx-xx-xx-01”と一致する信号光強度の値が下がった場合には、間違いなく該当心線であると確認することができる。これに対して、事前に把握していたＯＮＵのMAC address“xx-xx-xx-xx-xx-01”と一致しない信号光強度の値が下がった場合には、現地作業者が曲げを与えた光ファイバが本来の作業を予定する該当心線ではないことが明らかになる。この結果、現地作業者は、現地の光ファイバ心線に目印として取付けられていた識別タグに記載の情報が誤りであることを認識することができる。合わせて、作業予定のユーザ装置のMAC addressと一致する光ファイバ心線に波形の変化が生じる光ファイバを探し出せば、正しい光ファイバ心線を的確に選択して作業することが可能となる。
【００３８】
（第２の実施形態）
ところで、モニタ点とＯＮＵとの間の距離情報を精度良く測定するためには、フレームの通過タイミングを数nsまで一致させる必要があり、困難を伴う。そこで、図７に示すタイムチャートを参照して、汎用的な上り信号からモニタ点とＯＮＵとの間の距離を算出する方法を説明する。
【００３９】
下り信号のモニタ通過時刻τDn付近にモニタ点を通過する２つ以上の上り信号をキャプチャし、それらの上り信号に含まれる時間情報t'n, t'n+1, …と、モニタ点通過時刻τn, τn+1, …のデータを得る。t'とτが、例えば図８に示すようなt' = a・τ + bの線形関係とすると、次式が成り立つ。  
t'n = a・τn + b  
t'n+1 = a・τn+1 + b  
ここで、傾きa、切片bはそれぞれ、  
a = (t'n+1-t'n) /(τn+1-τn)  
b = t'n - (t'n+1-t'n) /(τn+1-τn) ・τn  
となる。
【００４０】
時刻τDnにモニタ点を通過することを仮定した上り信号に含まれるべき装置カウンタ値t'rは、  
t'r= a・τDn + b
より求めることができる。
よって、モニタ点からＯＮＵまでの信号往復時間2Tは、
2T = (τDn - t'r) 
から得られる。
【００４１】
その後、第１の実施形態と同様に該当心線の識別を実施する。
（他の実施形態）
また、第２の実施形態とは逆に、上り信号がモニタ点を通過したτを基準として、複数の下り信号の通過時間と信号に含まれる装置カウンタ値から、下り信号が時刻τにモニタ点を通過した場合に含まれると仮定されるカウンタ値を求め、モニタ点とONUとの間の信号伝送時間を求めてもよい。
【００４２】
さらに、上り信号と下り信号の通過時間双方から推定したモニタ通過時間τ及び装置カウンタ値tまたはt'を用いて、モニタ点とＯＮＵとの間の信号伝送時間を求めるようにしてもよい。
第２の実施形態の場合、上り信号と下り信号は同時ではなく順次キャプチャしてもよいので、図２に示した線路情報抽出部１４２の持つキャプチャ用ポートを１ポートに減らし、光スイッチ１４１によって切替えるようにしてもよい。
【００４３】
以上のように、従来は光計測データとの照合に、任意長の収納余長を設けるため、一致しているかどうかの判定に数十〜数100mの差が生じることもあったが、本方式によれば非常に高い精度で照合を行うことができる。
また、計測もデータ取得も直接光ファイバ心線を計測するために、この情報を関連づけて記録すれば、データの投入誤りなどのヒューマンエラーは未然に回避することができる。さらに加えて、常時ＯＬＴとＯＮＵとの間を流れる伝送信号を用いているため、リアルタイムに情報を得ることが可能である。また、Ｅ−ＰＯＮで標準化されているインターフェースを用いるため、ＯＬＴやＯＮＵのユーザインターフェースに左右されることなく心線判定をすることが可能である。
【００４４】
上記構成によれば、従来の損失発生のモニタにより行っていた心線判定に比べ、該当光線路心線に接続されているＯＮＵ情報や光線路長情報も同時に確認することが可能となり、作業対象の光線路心線の特定（判定）精度を高めることができる。
従来は光計測データとの照合は、任意長の収納余長を設けるため、一致しているかどうかの判定に数十〜数100mの差が生じることもあったが、本方式によれば非常に高い精度で照合を行うことができる。また、計測もデータ取得も直接光ファイバ心線を計測するために、この情報を関連づけて記録すればデータの投入誤りなどのヒューマンエラーは発生しえない。
【００４５】
一般的に光パルス試験を実施した際、光線路中のコネクタ等の反射点を往復する多重反射によって、光線路遠端よりも長い位置にゴースト反射が発生して判断し難い場合がある。本発明を用いることで、計測波形においてどの反射点が光線路の遠端であるかを確実に判定することができる。
【００４６】
尚、上記実施形態において、モニタ点にて光信号の漏洩光を取得する手段としては、光カプラを用いる手段に代えて、光線路を構成する光ファイバに曲げを付与し、マクロベンディングによる光ファイバコアからクラッドへの放射モードを発生させ、漏洩光を得る手段を用いてもよい。
【００４７】
また、現地作業者と通信事業者ビル内での作業者の該当心線の確認のためには、心線判定装置１４の表示にて光フィルタ１６の反射波形のピーク値が変動するような現象を現地において作業者が行えばよい。このため、上記のような光スプリッタ１２，１５の下部心線に曲げを付与する手法に代えて、光ファイバへの側圧印加による偏波変調を用いる手法により反射ピーク値を変動させてもよい。
【００４８】
また、心線判定装置１４が備える線路情報抽出部１４２と光線路長計測部１４３それぞれの入出力ポートを切り替える光スイッチ１４１には、光分岐カプラを用いてもよい。さらに、光分岐カプラを用いた場合の分岐損失を低減させるために、光線路長計測部１４３側には、例えば1625nmより長波長の試験光を透過し、他方の線路情報抽出部１４２側には1625nm以下の短波長を透過する特性を有したＷＤＭ（Wavelength Division Multiplexing）カプラを用いてもよい。
【００４９】
また、心線判定装置１４は通信事業者ビルに常時設置し、心線判定装置１４の光入出力ポート１４０は、複数の光線路（図１において、複数のＯＬＴが存在する場合）に設置されたそれぞれの光カプラ１３に任意に接続する光スイッチ（図示せず）と接続して、心線判定装置１４、光スイッチの制御および判定結果を携帯電話やデータネットワーク等を介して現地作業者のみで直接制御するシステムとしてもよい。
【００５０】
その他、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成を削除してもよい。さらに、異なる実施形態例に亘る構成要素を適宜組み合わせてもよい。
【符号の説明】
【００５１】
１１…ＯＬＴ、１７…ＯＮＵ（図では＃１〜＃８）、１２，１５…光スプリッタ、１３…光カプラ（１）、Ｐ１，Ｐ２…通信ポート、Ｐ３，Ｐ４…試験ポート、１４…心線判定装置、１４０…光入出力ポート、１４１…光スイッチ、１４２…線路情報抽出部、１４３…光線路長計測部、１４２１…漏洩光受信部、１４２２…信号解析部、１４３１…光源、１４３２…受光部、１４３３…Ａ/Ｄ変換器、１４３４…制御装置、１４３５…光カプラ（２）、１４４…解析部、１４４１…データ格納部、１４４２…データ比較部、１４４３…設備判定部、１４５…表示部。
【図１】
0005736300.tif 000002
【図２】
0005736300.tif 000003
【図３】
0005736300.tif 000004
【図４】
0005736300.tif 000005
【図５】
0005736300.tif 000006
【図６】
0005736300.tif 000007
【図７】
0005736300.tif 000008
【図８】
0005736300.tif 000009